(57)【特許請求の範囲】
【請求項１】
遮蔽材（６ａ，６ｂ）の開閉度を調節するための機構部（４１１）を収容する、遮蔽装置用機構部の収容装置（４０）であって、
前記機構部を外部に露出させるための開口部（４２１）が設けられる収容装置本体（４１，４２）と、
前記開口部に着脱自在に嵌合する蓋部（４３）と、
前記開口部内に設けられ、前記蓋部の所定箇所を支点とし、前記蓋部を前記開口面垂直方向に揺動可能に支持する支持部（４１ａ，４１ｃ）と
を備えることを特徴とする遮蔽装置用機構部の収容装置。
【請求項２】
前記開口部内に、前記蓋部を係止する係止穴（４１ａ−１，４１３，４２１ａ）が設けられ、
前記蓋部には、前記係止穴に嵌合されて係止される脚部（４３１）が設けられることを特徴とする請求項１記載の遮蔽装置用機構部の収容装置。
【請求項３】
前記脚部の端部には、突起（４３２）が設けられ、
前記係止穴には、前記突起が係合するための係合部（４２１ｂ）が設けられることを特徴とする請求項２記載の遮蔽装置用機構部の収容装置。
【請求項４】
前記開口部内には、前記開口面垂直方向に揺動した前記蓋部の一端部と当接可能に、前記開口部の周縁方向に向かって傾斜するテーパ面（４１ｂ）が形成されることを特徴とする請求項１〜請求項３の何れか１項に記載の遮蔽装置用機構部の収容装置。
【請求項５】
前記支持部は、前記蓋部が前記開口部に嵌合された場合に前記蓋部裏面の一部と当接する平面（４１ａ）として形成されることを特徴とする請求項１〜請求項４の何れか１項に記載の遮蔽装置用機構部の収容装置。
【発明の詳細な説明】
【技術分野】
【０００１】
この明細書に開示される技術は、ロールスクリーンなどの遮蔽装置、特に日射遮蔽装置を調整、操作あるいは動作させるための機構部を収容する収容装置に関する。
【背景技術】
【０００２】
従来、ロールスクリーンなどの日射遮蔽装置には、遮蔽材の一端を巻取り及び巻解き可能に連結した巻取パイプや、当該巻取パイプを回転可能に支持するサイドブラケット、遮蔽材を巻取り及び巻解き操作するための操作装置、あるいは遮蔽材の基準位置を調節する調節装置などの機構部が備えられているものが知られている。この機構部は、巻取パイプに連結されており、遮蔽材を巻取パイプに巻き取り終えた状態（以後、巻取状態と称する）における遮蔽材の鉛直方向位置、換言すれば巻取りの上限位置を調節するためのものである。
【０００３】
このような機構部は、サイドブラケット内に収容されると共に、ユーザによる操作を可能とするために、サイドブラケットから露出する必要があるが露出していると、その美観を損なうばかりか、誤って操作する可能性があるため、カバーといった蓋部材で覆われることが好ましい。
【０００４】
この種のカバーとしては、特許文献１に示されるような、サイドブラケットの正面全体を覆うよう、その正面から弾性的に嵌合可能としたものがある。このように、サイドブラケットの正面全体を覆うことにより、機構部をも覆うことを可能としている。また、このカバーは、サイドブラケットの側縁に係合する保持部と、サイドブラケットの下端縁に係合する凸部とを備え、サイドブラケットの側面及び端縁をカバーで被覆することを実現し、ロールスクリーンの美観を向上させている。
【先行技術文献】
【特許文献】
【０００５】
【特許文献１】実用新案登録３１２３２２０号公報
【発明の概要】
【発明が解決しようとする課題】
【０００６】
しかしながら、サイドブラケットの側縁にカバーを嵌合させ、サイドブラケットの正面全体を覆う構造であると、覆う必要がない範囲まで覆われることとなり、サイドブラケットが大型化した場合には、装着するカバーまで大型化させる必要があるという問題があった。
【０００７】
本発明は上述した問題点を解決するためになされたものであり、機構部を選択的に覆うことができる遮蔽装置用機構部の収容装置を提供することを目的とする。
【課題を解決するための手段】
【０００８】
上述した課題を解決するため、本発明の一態様は、遮蔽材の開閉度を調節するための機構部を収容する、遮蔽装置用機構部の収容装置であって、前記機構部を外部に露出させるための開口部が設けられる収容装置本体と、前記開口部に着脱自在に嵌合する蓋部と、前記開口部内に設けられ、前記蓋部の所定箇所を支点とし、前記蓋部を前記開口面垂直方向に揺動可能に支持する支持部とを備える。
【発明の効果】
【０００９】
本発明によれば、機構部を選択的に覆うことができる。
【図面の簡単な説明】
【００１０】
【図１】本実施の形態に係るサイドブラケットを備えるロールスクリーンの斜視図である。
【図２】本実施の形態に係るサイドブラケットの斜視図である。
【図３】閉塞カバーが取り外された状態のサイドブラケットの斜視図である。
【図４】閉塞カバーが取り外される過程を示すサイドブラケットの部分拡大図である。
【図５】本実施の形態に係るサイドブラケットの正面図である。
【図６】閉塞カバーの嵌合状態における、（ａ）は図５のＡ−Ａ線断面図、（ｂ）は同じくＢ−Ｂ線断面図、（ｃ）は同じくＣ−Ｃ線断面図である。
【図７】閉塞カバーの一端の押圧開始状態における、（ａ）は図５のＡ−Ａ線断面図、（ｂ）は同じくＢ−Ｂ線断面図、（ｃ）は同じくＣ−Ｃ線断面図である。
【図８】閉塞カバーの一端の押圧終了状態における、（ａ）は図５のＡ−Ａ線断面図、（ｂ）は同じくＢ−Ｂ線断面図、（ｃ）は同じくＣ−Ｃ線断面図である。
【図９】閉塞カバーの取り外し開始状態における、（ａ）は図５のＡ−Ａ線断面図、（ｂ）は同じくＢ−Ｂ線断面図、（ｃ）は同じくＣ−Ｃ線断面図である。
【図１０】閉塞カバーが完全に取り外された状態における、（ａ）は図５のＡ−Ａ線断面図、（ｂ）は同じくＢ−Ｂ線断面図、（ｃ）は同じくＣ−Ｃ線断面図である。
【発明を実施するための形態】
【００１１】
以下、本発明の実施の形態について図面を参照しつつ説明する。本実施の形態においては、機構部としての調節装置を備えたロールスクリーンのサイドブラケットに本発明を適用した場合を例に取り説明を行う。なお、本明細書及び図面において、実質的に同一の機能を有する構成要素については、同一の符号を付することにより重複説明を省略する。
【００１２】
（ロールスクリーンの構成）
先ず、本実施の形態に係る収容装置であるサイドブラケットを備えるロールスクリーンの構成について説明する。図１は、本実施の形態に係るサイドブラケットを備えるロールスクリーンの斜視図である。図１に示されるように、ロールスクリーン１は、一対のブラケット２により窓枠等の図示しない固定部に取り付けられるセットフレーム３と、当該セットフレーム３の一端に設けられたサイドブラケット４０と、セットフレーム３の他端に設けられたサイドプレート４ａと、を備えており、サイドブラケット４０及びサイドプレート４ａとによって２つの巻取パイプ５ａ及び５ｂの両端がそれぞれ回転可能に支持されている。
【００１３】
巻取パイプ５ａは、巻取パイプ５ｂより鉛直方向上方に位置するようサイドブラケット４０及びサイドプレート４ａにより支持されている。巻取パイプ５ａには、スクリーン６ａの一端が巻取り及び巻解き可能に連結され、スクリーン６ａの他端がウエイトバー７ａに連結されている。一方、巻取パイプ５ｂは、巻取パイプ５ａより鉛直方向下方に位置するようサイドブラケット４０及びサイドプレート４ａにより支持されている。巻取パイプ５ｂには、スクリーン６ｂの一端が巻取り及び巻解き可能に連結され、スクリーン６ｂの他端がウエイトバー７ｂに連結されている。また、巻取パイプ５ａと５ｂは、前後方向に位置ずれされサイドブラケット４０及びサイドプレート４ａにより支持されている。なお、スクリーン６ａ及び６ｂは、それぞれ異なる柄、異なる材質、異なる遮蔽度を持つものとすることもできるが、同一柄、同一材質、同一遮蔽度を持つものとしてもよい。
【００１４】
（サイドブラケット４０の構成）
次に、図２及び図３を用いて、サイドブラケット４０の詳細な構成を説明する。図２は、本実施の形態に係るサイドブラケットの斜視図であり、図３は、閉塞カバーが取り外された状態のサイドブラケットの斜視図である。サイドブラケット４０は、セットフレーム３の一端に設けられたサイドプレート４ｂ（図６（ａ）参照）と、調節装置である操作部４１１を収容するベース４１と、当該ベース４１を覆うためのベースカバー４２と、ベースカバー４２に形成された楕円形の開口４２１を閉塞する着脱自在な蓋部材としての閉塞カバー４３と、ベースカバー４２をセットフレーム３の端部に支持するためのベース支持部４４と、巻取パイプ５ａ及び５ｂを回転駆動させてスクリーン６ａ及び６ｂを昇降操作するための操作チェーン４５とを備える。ベース４１は、サイドプレート４ｂに連結され、ベース４１とベースカバー４２とは、ねじ４６を介して連結されており、ベース４１とベースカバー４２とで収容装置本体を形成している。なお、本実施の形態においては、サイドプレート４ｂ、ベース４１及びベースカバー４２を別部材として説明するが、これらを同一部材で且つ一体的に形成するようにしてもよい。
【００１５】
（ベース４１の構成）
図３に示されるように、ベース４１は、平面部４１ａと、当該平面部４１ａに隣接した傾斜部４１ｂと、スクリーン６ａの開閉度を調節するための機構部としての操作部４１１と、操作部４１１の操作を抑制するためのストッパ機構４１２と、係止穴としての一対の穴部４１３とを備える。また、平面部４１ａ、傾斜部４１ｂ、操作部４１１、ストッパ機構４１２及び穴部４１３は、ベースカバー４２の開口４２１から露出されている。
【００１６】
平面部４１ａは、開口４２１の底面を形成するものであり、閉塞カバー４３の所定箇所を支点とし、閉塞カバー４３を開口４２１の開口面に対して面垂直方向に揺動可能に支持する。具体的には、平面部４１ａは、閉塞カバー４３が開口４２１に嵌合された場合、閉塞カバー４３の裏面の一部と当接し、閉塞カバー４３を支持する。
【００１７】
一方、傾斜部４１ｂは、開口４２１内の図３における周縁上端部を形成するものであり、隣接する平面部４１ａとの境界４１ｃから開口４２１の周縁上端に向かって開口４２１の深さ方向（ベース４１の設置面方向）に連続的に深さが増すよう傾斜した所謂テーパ面をなしている。この傾斜部４１ｂにより、平面部４１ａにより閉塞カバー４３が支持された状態において、閉塞カバー４３の上端部４３ａ、すなわち閉塞カバー４３が傾斜部４１ｂを覆う部分が押圧され、当該上端部４３ａが深さ方向へ嵌入することを可能としている。このように、上端部４３ａが深さ方向へ嵌入することにより、その他端を開口４２１面から深さ方向とは逆方向に突出させることができ、閉塞カバー４３を容易に取り外すことが可能となる。ここで、深さ方向を押圧方向、深さ方向の逆方向を引上げ方向と称して、以降の説明を行う。
【００１８】
操作部４１１は、スクリーン６ａの開閉度を調節し、巻取状態におけるスクリーン６ａの鉛直方向位置（巻取り上限位置）を調節するために巻取パイプ５ａに連結されたねじ等の調節装置である。具体的には、操作部４１１は、巻取パイプ５ａ内に設けられたスクリーン６ａの鉛直方向位置を巻取パイプ５ａの軸心を回動させることで調節する図示しない調節機構と連結されることにより、巻取パイプ５ａに連結されている。例えば、操作部４１１を周方向へ回転させるといった操作を行うことにより、調節機構を駆動させ、スクリーン６ａの鉛直方向位置を調節することができる。なお、調節機構としては、公知となった任意の機構を使用することができる。
【００１９】
ストッパ機構４１２は、例えば切り替えレバーであり、当該レバーを切り替えることで操作部４１１の回転を抑制するものである。これら操作部４１１とストッパ機構４１２は、平面部４１ａから突出しないよう、平面部４１ａとフラットに、または押し込められた状態で設けられることが好ましい。なお、本実施の形態においてはストッパ機構４１２が傾斜部４１ｂの範囲に及ぶように設けられているが、これに限定されるものではなく、平面部４１ａ上のみに設けられていてもよい。
【００２０】
穴部４１３は、鉛直方向に平行な平面部４１ａの側面に設けられた溝部４１ａ−１と、ベースカバー４２の開口４２１の内壁面４２１ａと、この内壁面４２１ａ側に形成された凹部４２１ｂ（図６（ｃ）参照）とで形成された、鉛直方向に平行な長方形状の穴である。この穴部４１３は、後述する閉塞カバー４３の脚部４３１が嵌入される係合部として形成され、この穴部４１３に脚部４３１が係合されることにより、閉塞カバー４３を係止することが可能となる。凹部４２１ｂは、脚部４３１の凸部（突起）４３２と係合するものである。なお、凹部４２１ｂは、開口４２１の内壁面４２１ａ側ではなく、凸部４３２の位置に応じて溝部４１ａ−１側に設けられるようにしてもよい。この穴部４１３が設けられる位置は、閉塞カバー４３の端部を押圧可能とする観点から、傾斜部４１ｂ以外の個所、換言すれば、閉塞カバー４３が押圧される個所以外の位置に設けることが好ましい。
【００２１】
なお、閉塞カバー４３を容易に取り外すことを可能とする観点から、穴部４１３の形状は、閉塞カバー４３が押圧された場合、押し込まれる閉塞カバー４３の一端部４３ａと当該一端部４３ａと逆側に位置する他端部とがなす直線と平行に延びる長方形状とすることが好ましい。このように当該直線と平行な長方形状であれば、閉塞カバー４３が押圧された場合、閉塞カバー４３の脚部４３１が穴部４１３内を容易に摺動することが可能となる。さらに、この摺動を可能とするため、当該直線方向における穴部４１３の長さは、当該直線方向における脚部４３１の長さより長いことが好ましい。より好ましくは、穴部４１３における当該直線方向長さ中心から当該直線方向と直行する面までのそれぞれの長さを、脚部４３１における当該直線方向長さ中心から当該直線方向と直行する面までの長さより長くする。
【００２２】
（閉塞カバー４３の構成）
図３に示されるように、閉塞カバー４３は、開口４２１に嵌合された場合、開口４２１を閉塞できるよう開口４２１と同一形状をなした板状部材である。なお、開口４２１に閉塞カバー４３が嵌合した場合にベースカバー４２の表面と閉塞カバー４３表面とが同一平面をなすよう、閉塞カバー４３の厚みは、開口４２１面から平面部４１ａまでの長さと同一とすることが好ましい。
【００２３】
閉塞カバー４３は、開口４２１に面する裏面の周縁一端部に一対の脚部４３１を有している。ここで、脚部４３１が対向する方向を内方向、その逆を外方向として以降の説明を行う。この脚部４３１は、互いに平行な平板形状をなしており、その先端に穴部４１３の凹部４２１ｂと係合するための柱状突起である凸部４３２が外方向に向けて設けられている。なお、凸部４３２は、凹部４２１ｂの位置に応じて内方向に向かって設けられるようにしてもよい。この脚部４３１が穴部４１３に嵌入されることにより、脚部４３１と穴部４１３とが嵌合すると共に、凸部４３２と穴部４１３の凹部４２１ｂとが係合し、閉塞カバー４３が係止され且つその落下が防止される。
【００２４】
脚部４３１が穴部４１３に嵌入または取り外される場合、凸部４３２と穴部４１３の内壁面、即ち開口４２１の内壁面４２１ａとが接触するため、脚部４３１は、内方向に撓むこととなる。このことから、脚部４３１は、ある程度の硬度と弾性力とを持った材料で形成されていることが好ましく、このような材料としては、例えばポリカーボネートといった硬質な樹脂材料が挙げられる。
【００２５】
なお、前述した脚部４３１の撓みを実現するため、２つの穴部４１３が対向する方向における穴部４１３の長さ（幅）は、脚部４３１の当該対向する方向の長さ（厚み）より長いことが好ましい。より具体的には、閉塞カバー４３が開口４２１に嵌合された状態において、脚部４３１の外側面が穴部４１３の内壁面、即ち開口４２１の内壁面４２１ａと当接し、この内壁面４２１ａに対向する穴部４１３の内壁面、即ち溝部４１ａ−１と脚部４３１の内側面とが離間するよう、穴部４１３の当該対向する方向の長さ、即ち溝部４１ａ−１の長さを長くすることが好ましい。これにより、閉塞カバー４３が取り外される場合に、脚部４３１が内方向側へ撓むと共に、弾性的に外方向側へ押圧する力が働き、内壁面４２１ａを付勢しつつ脚部４３１が摺動する。したがって、閉塞カバー４３を取り外す場合においても脚部４３１の付勢力により、閉塞カバー４３が落下することはない。
【００２６】
また、図３に示される操作チェーン４５は、巻取パイプ５ａ及び５ｂを回転駆動させてスクリーン６ａ及び６ｂを昇降操作するための鎖状部材である。操作チェーン４５は、ベース４１内で回転可能に支持され且つその回転を巻取パイプ５ａ及び５ｂに伝達する図示しないプーリに、その一部が巻き掛けられて垂下されている。操作チェーン４５は、ユーザにより鉛直方向下側へ引かれることでプーリを回転操作可能としている。具体的には、操作チェーン４５の前側（スクリーン６ａ側）のチェーン４５ａが引かれることにより巻取パイプ５ａが回転駆動し、スクリーン６ａの昇降操作が可能となる。一方、操作チェーン４５の後側（スクリーン６ｂ側）のチェーン４５ｂが引かれることにより巻取パイプ５ｂが回転駆動し、スクリーン６ｂの昇降操作が可能となる。
【００２７】
（作用）
以下、閉塞カバー４３を取り外す手法を、図４を用いて簡単に説明する。図４は、閉塞カバーが取り外される過程を示すサイドブラケットの部分拡大図であり、図４に示される（ａ）は閉塞カバー４３が開口４２１を閉塞した状態を示し、（ｂ）は閉塞カバー４３上端部が押圧方向へ押圧された状態を示し、（ｃ）は閉塞カバー４３が取り外された状態を示している。
【００２８】
先ず、図４（ａ）に示されるような閉塞カバー４３が開口４２１を閉塞した状態において、図４（ｂ）に示されるように、その上端部４３ａが押圧されると、平面部４１ａと傾斜部４１ｂとの境界４１ｃが支点となり（同様に、境界４１ｃに当接する閉塞カバー４３の裏面の箇所も支点となる）、閉塞カバー４３上端部４３ａのみが押し込まれる。その後、閉塞カバー４３の裏面と開口４２１の傾斜部４１ｂとが当接すると共に、傾斜部４１ｂのテーパ面により閉塞カバー４３の押し込みが抑制される。この閉塞カバー４３の裏面と傾斜部４１ｂとが当接することにより、閉塞カバー４３の下端部がベースカバー４２表面から突出することとなる。したがって、図４（ｃ）に示されるように、この突出した下端部を把持してベースカバー４２表面から引き上げることにより、閉塞カバー４３を開口４２１から容易に取り外すことができる。
【００２９】
次に、図５〜図１０を用いて、閉塞カバー４３を取り外す手法をより詳細に説明する。図５は、本実施の形態に係るサイドブラケットの正面図であり、図６は、閉塞カバーの嵌合状態における、（ａ）は図５のＡ−Ａ線断面図、（ｂ）は同じくＢ−Ｂ線断面図、（ｃ）は同じくＣ−Ｃ線断面図である。図７は、閉塞カバーの一端の押圧開始状態における、（ａ）は図５のＡ−Ａ線断面図、（ｂ）は同じくＢ−Ｂ線断面図、（ｃ）は同じくＣ−Ｃ線断面図であり、図８は、閉塞カバーの一端の押圧終了状態における、（ａ）は図５のＡ−Ａ線断面図、（ｂ）は同じくＢ−Ｂ線断面図、（ｃ）は同じくＣ−Ｃ線断面図である。図９は、閉塞カバーの取り外し開始状態における、（ａ）は図５のＡ−Ａ線断面図、（ｂ）は同じくＢ−Ｂ線断面図、（ｃ）は同じくＣ−Ｃ線断面図であり、図１０は、閉塞カバーが完全に取り外された状態における、（ａ）は図５のＡ−Ａ断面図、（ｂ）は同じくＢ−Ｂ線断面図、（ｃ）は同じくＣ−Ｃ線断面図である。
【００３０】
先ず図５及び図６（ａ）及び（ｂ）に示されるように、閉塞カバー４３が開口４２１に嵌合された状態では、閉塞カバー４３の裏面と開口４２１の平面部４１ａとが当接すると共に、当該裏面と傾斜部４１ｂとの間には空間が形成されている。また、前述したように、閉塞カバー４３の厚みと開口４２１の深さとが同一であるため、ベースカバー４２表面と閉塞カバー４３の表面とが同一平面となっている。また、穴部４１３の鉛直方向長さが脚部４３１の鉛直方向長さより長く形成されている。この状態において、脚部４３１の凸部４３２が凹部４２１ｂに係合している。また、図６（ｃ）に示されるように、脚部４３１の外側面が穴部４１３の内壁面、即ち開口４２１の内壁面４２１ａと当接し、当該内壁面４２１ａと対向する穴部４１３の内壁面、即ち溝部４１ａ−１と脚部４３１の内側面とが離間しており空間が形成されている。
【００３１】
この状態から、図７（ａ）に示されるように、閉塞カバー４３上端部４３ａが押圧されると、開口４２１の平面部４１ａと傾斜部４１ｂとの境界４１ｃを支点とし、上端部４３ａのみが傾斜部４１ｂに押し込まれる。上端部４３ａを押圧すると、境界４１ｃを用いた梃の原理により閉塞カバー４３の下端部が引き上げられ、閉塞カバー４３の下端部の裏面と平面部４１ａとが離間され始める。この時、図７（ｂ）及び（ｃ）に示されるように、脚部４３１が穴部４１３内において鉛直方向および引上げ方向に摺動すると共に、凸部４３２と凹部４２１ｂとの係合が解除され始め、さらに、脚部４３１がその内側に撓む状態となる。
【００３２】
この状態から、図８に示されるように、閉塞カバー４３の上端部４３ａがさらに押圧されると、閉塞カバー４３の上端部４３ａの裏面と傾斜部４１ｂとが当接し、上端部４３ａの押し込みが抑制される。この状態において、図７に示される状態から、脚部４３１が穴部４１３内において鉛直方向および引上げ方向に摺動すると共に、凸部４３２と凹部４２１ｂとの係合が解除される。この状態において、閉塞カバー４３の下端部がベースカバー４２表面から突出し、当該下端部の裏面とベースカバー４２表面との間に空間が形成される。この空間に例えば爪等を入れて閉塞カバー４３を引き上げる、または突出した当該下端部を把持して引き上げる等をすることにより、図９に示されるように、凸部４３２と凹部４２１ｂとの係合を容易に解除できる。さらに、そのまま引き上げ続ければ、図１０に示されるように、閉塞カバー４３を完全に取り外すことができる。
【００３３】
以上のように、本実施の形態によれば、閉塞カバー４３により、操作部４１１を選択的に覆うことが可能となる。したがって、サイドブラケットのサイズが拡大された場合であっても、サイドブラケットの形状によらず操作部４１１を覆うことができ、サイドブラケットの形状に応じて作り変える必要が無いため、コストの低減を図れる。
【００３４】
また、閉塞カバー４３の上端部４３ａを押圧した場合、平面部４１ａ、傾斜部４１ｂ及び境界４１ｃにより、梃の原理を用いて軽い押圧力で凸部４３２と凹部４２１ｂとの係合を解くことができる。また、閉塞カバー４３の上端部４３ａを押圧して他部を引き上げるのみで当該閉塞カバー４３を容易に取り外すことができ、開口４２１に当該閉塞カバー４３を嵌合させるのみで容易に取り付けることができる。更に、ベースカバー４２の表面と閉塞カバー４３の表面とが同一平面上に位置するため、連続的な平面を成すことができ、意匠的な違和感がなく、サイドブラケット４０の美観を損なうことはない。また、傾斜部４１ｂをテーパ面としたことにより、閉塞カバー４３が必要以上に高い押圧力で押圧されたとしても、テーパ面により押し込みが抑止されるため、ベースカバー４２の破損や閉塞カバー４３が不用意に外れたりすることを防止できる。
【００３５】
また、前述した特許文献１のように、樹脂の弾性を利用してカバーの係合状態を維持している場合には、ある程度軟質な樹脂を採用しなければその係合を解除することが難しいが、本実施の形態によれば、サイドブラケット４０を構成する各要素に硬質な樹脂を採用したとしても、閉塞カバー４３を容易に着脱することができる。
【００３６】
（応用例）
以上に説明した本実施の形態では、ロールスクリーン１が備えるサイドブラケット４０に本発明を適用した場合を例にとり説明したが、これに限定されるものではなく、調節装置や操作装置などの機構部を有し且つそれを覆う必要があるベネシャンブラインド、バーチカルブラインド、プリーツスクリーン、ハニカムスクリーン、ローマンシェードといった遮蔽装置であれば、本発明を適用できる。
【００３７】
また、本実施の形態においては、開口４２１内に平面部４１ａが形成され、ストッパ機構４１２が設けられると説明したが、開口４２１内に操作部４１１と傾斜部４１ｂのみが形成されていてもよい。この場合、操作部４１１と傾斜部４１ｂとの境が境界４１ｃとなる。また、平面部４１ａ、傾斜部４１ｂ及び境界４１ｃを設けず、操作部４１１における当該操作部４１１の操作に支障をきたさない箇所に、閉塞カバー４３を支持可能な円柱といった支持部材を設けるような構成であってもよい。この場合、閉塞カバー４３における当該支持部材以外の任意の箇所を押圧することにより、支持部材と当該支持部材に当接する閉塞カバー４３の箇所とが支点となって、閉塞カバー４３を開口４２１面より垂直方向に揺動させることができる。その他、傾斜部４１ｂ及び境界４１ｃを設けず、平面部４１ａ上に当該支持部材が設けられるようにしてもよい。
【００３８】
また、開口４２１内の周縁上端に傾斜部４１ｂが設けられると説明したが、傾斜部４１ｂは開口４２１内の周縁下端や側端等、閉塞カバー４３を押し込み可能な開口４２１内の周縁部であれば何れの位置に設けられていてもよい。その場合、閉塞カバー４３における当該位置に対応する箇所が押圧される。
【００３９】
また、脚部４３１に凸部４３２を、穴部４１３に凹部４２１ｂを、それぞれ設けると説明した。しかしながら、これらを設けず、脚部４３１の厚みと穴部４１３の幅とを同一にして脚部４３１が穴部４１３により把持され、係止されるようにしてもよい。
【００４０】
また、操作部４１１が巻取パイプ５ａに設けられた調節機構に連結されていると説明したが、操作部４１１が巻取パイプ５ｂに設けられた調節機構に連結されてもよい。また、巻取パイプ５ｂを調節対象とした操作部を更に設け、これら２つの操作部を閉塞可能とするよう、開口４２１及び閉塞カバー４３の形状を変えてもよい。閉塞対象に応じて、これらの形状は適宜変更可能である。
【００４１】
本発明は、その要旨または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００４２】
５ａ，５ｂ  巻取パイプ
６ａ，６ｂ  スクリーン（遮蔽材）
４０  サイドブラケット（遮蔽装置用機構部の収容装置）
４１  ベース（収容装置本体）
４１ａ  平面部（支持部）
４１ａ−１  溝部（係止穴）
４１ｂ  傾斜部（テーパ面）
４１ｃ  境界（支持部）
４２  ベースカバー（収容装置本体）
４３  閉塞カバー（蓋部）
４１１  操作部（機構部）
４１３  穴部（係止穴）
４２１  開口（開口部）
４２１ａ  壁面（係止穴）
４２１ｂ  凹部（係合部）
４３１  脚部
４３２  凸部（突起）
【図１】
0006046601.tif 000002
【図２】
0006046601.tif 000003
【図３】
0006046601.tif 000004
【図４】
0006046601.tif 000005
【図５】
0006046601.tif 000006
【図６】
0006046601.tif 000007
【図７】
0006046601.tif 000008
【図８】
0006046601.tif 000009
【図９】
0006046601.tif 000010
【図１０】
0006046601.tif 000011